(57)【要約】【課題】光拡散板のバックライト側への変形を規制する支柱を作製するための成形金型の費用が低減でき、該支柱部品の在庫管理が容易となる液晶表示装置を提供する。【解決手段】液晶パネル１と、液晶パネル１の背面側に配置した光拡散板３と、光拡散板３の背面側に位置して光拡散板３を照射するバックライト８を保持するバックライトシャーシ６とを備え、光拡散板３のバックライト８側への変形を規制するために、バックライトシャーシ６における位置により高さが異なる複数の支柱を光拡散板３に向けてバックライトシャーシ６に立設してある液晶表示装置において、支柱の夫々は、バックライトシャーシ６への取付部２ｄを備えた同一形状且つ同一寸法の基部材２と、基部材２に取り付けられる高さの異なる先端部材（キャップ体７ａ，７ｂ，７ｃ）とを有する。【選択図】図１
2009122368.tif 000002
【特許請求の範囲】
【請求項１】
液晶パネルと、該液晶パネルの背面側に配置した光拡散板と、該光拡散板の背面側に位置して該光拡散板を照射するバックライトを保持するバックライトシャーシとを備え、前記光拡散板の前記バックライト側への変形を規制するために、前記バックライトシャーシにおける位置により高さが異なる複数の支柱を前記光拡散板に向けて前記バックライトシャーシに立設してある液晶表示装置において、
前記支柱の夫々は、前記バックライトシャーシへの取付部を備えた基部材と、該基部材に取り付けられる高さの異なる先端部材とを有することを特徴とする液晶表示装置。
【請求項２】
前記基部材は、前記バックライトを保持する保持部を有することを特徴とする請求項１に記載の液晶表示装置。
【請求項３】
前記基部材は、板部と、該板部の一面に立設された突起部と、前記一面に設けられ、前記バックライトを挟んで保持するクリップと、前記板部の他面に設けられ、前記バックライトシャーシに設けた取付孔に挿入して固定される前記取付部とを備え、前記先端部材は前記突起部の先端部に装着されるキャップ体にて構成してあることを特徴とする請求項２に記載の液晶表示装置。
【請求項４】
前記光拡散板は前記バックライト側へ凸状に湾曲させてあり、前記支柱の夫々は先端が該光拡散板の凸形状に沿うように前記先端部材の高さを設定してあることを特徴とする請求項１から３の何れか１項に記載の液晶表示装置。
【請求項５】
前記先端部材は前記基部材よりも軟質の材料により構成してあることを特徴とする請求項１から４の何れか１項に記載の液晶表示装置。
【請求項６】
板部と、該板部の一面に立設された突起部と、前記一面に設けられ、保持対象物を保持する保持部と、前記板部の他面に設けられ、支持物に取り付けられる取付部とを備えた基部材、及び、前記突起部に取り付けられる先端部材を有することを特徴とする支柱。
【発明の詳細な説明】
【技術分野】
【０００１】
本発明は、液晶パネルの背面側に配置した光拡散板のバックライト側への変形を規制する支柱を設けた液晶表示装置、及び支柱に関する。
【背景技術】
【０００２】
液晶表示装置は、薄型、低消費電力を特徴とするが、自己発光型のディスプレイと異なり、液晶パネルの背面側に配置したバックライトから光を照射し、液晶の電気光学特性を制御して画像を表示させている。
従来、光拡散板の前側に配設された光学シートが、内部温度の上昇により膨張変形する光拡散板に押し出されて液晶パネルの背面に当接した場合に、年輪状の縞模様「ニュートンリング」が生じて表示画像の画質が低下するのを避けるために、液晶パネルとバックライトとの間に配置する光拡散板をバックライト側へ凸となる球面状に形成している。また光拡散板が膨張した時の反りによるバックライト側への変形を規制するために、光拡散板の球面形状に沿って該光拡散板との間隔を一定に保つように高さが異なる複数の支柱を夫々、バックライトを保持する複数個のランプクリップの夫々に設け、該支柱付きのランプクリップをバックライトシャーシに保持させている（特許文献１参照）。尚、該支柱付きのランプクリップは、バックライトを保持する保持部と支柱とを合成樹脂材料にて一体成形して作製している。
【特許文献１】特開２００７−３３９６２号公報
【発明の開示】
【発明が解決しようとする課題】
【０００３】
高さの異なる支柱を有するランプクリップを一体成形にて作製するためには、支柱の高さが異なるランプクリップの数の金型が必要となる。しかし、該ランプクリップの金型はランプを挟んで保持する部分及びバックライトシャーシへの取付部分の構造が複雑であるので高価なものになり、金型の数が増えると金型費用がかさむことになる。また、支柱の高さだけが異なる多種類のランプクリップを保管する必要があるため、部品の在庫管理も煩雑になる。
【０００４】
本発明は、上述したような事情に鑑みてなされたものであり、成形用の金型費用を低減することができるとともに、部品の在庫管理が容易となる液晶表示装置を提供することを目的とする。
また他の目的は、他物の保持機能と他物への取付け機能とを有し、種々の用途に好適に使用できる支柱を提供することにある。
【課題を解決するための手段】
【０００５】
本発明に係る液晶表示装置は、液晶パネルと、該液晶パネルの背面側に配置した光拡散板と、該光拡散板の背面側に位置して該光拡散板を照射するバックライトを保持するバックライトシャーシとを備え、前記光拡散板の前記バックライト側への変形を規制するために、前記バックライトシャーシにおける位置により高さが異なる複数の支柱を前記光拡散板に向けて前記バックライトシャーシに立設してある液晶表示装置において、前記支柱の夫々は、前記バックライトシャーシへの取付部を備えた基部材と、該基部材に取り付けられる高さの異なる先端部材とを有することを特徴とする。
【０００６】
本発明によれば、光拡散板のバックライト側への変形を規制するための複数の支柱は、基部材を共通にして、該基部材に高さの異なる先端部材を取り付けることにより高さの異なる支柱が得られ、これらの高さが異なる複数の支柱の高さをバックライトシャーシにおける位置により定まる高さに合わせ、該支柱の基部材に備えた取付部によって基部材をバックライトシャーシに取り付けることにより、支柱を光拡散板に向けてバックライトシャーシに立設させることができる。
【０００７】
本発明に係る液晶表示装置は、前述の発明における前記基部材は、前記バックライトを保持する保持部を有することを特徴とする。
本発明によれば、バックライトを保持する保持部を有し、先端部材を取り付けた基部材をバックライトシャーシに取り付けて支柱をバックライトシャーシに立設させ、該バックライトシャーシに立設した支柱の保持部にバックライトを保持させる。
【０００８】
本発明に係る液晶表示装置は、前述の発明における前記基部材は、板部と、該板部の一面に立設された突起部と、前記一面に設けられ、前記バックライトを挟んで保持するクリップと、前記板部の他面に設けられ、前記バックライトシャーシに設けた取付孔に挿入して固定される前記取付部とを備え、前記先端部材は前記突起部の先端部に装着されるキャップ体にて構成してあることを特徴とする。
本発明によれば、板部の一面に立設された突起部の先端部に高さの異なるキャップ体を装着することにより高さの異なる支柱が得られ、板部の他面に設けた取付部をバックライトシャーシの取付孔に挿入して固定させて板部をバックライトシャーシに取り付け、該バックライトシャーシに取り付けた板部の一面に設けたクリップにバックライトを挟んで保持させる。
【０００９】
本発明に係る液晶表示装置は、前述の発明における前記光拡散板は前記バックライト側へ凸状に湾曲させてあり、前記支柱の夫々は先端が該光拡散板の凸形状に沿うように前記先端部材の高さを設定してあることを特徴とする。
本発明によれば、液晶パネルの背面側に配置した光拡散板をバックライト側へ凸状に湾曲させることにより、膨張時に光拡散板が反って液晶パネルに接近することによる表示画像の画質低下を回避し、各支柱の先端が光拡散板の凸形状に沿うにして、バックライト側へ凸状に湾曲させた光拡散板のバックライト側への変形を規制することができる。
【００１０】
本発明に係る液晶表示装置は、前述の発明における前記先端部材は前記基部材よりも軟質の材料により構成してあることを特徴とする。
本発明によれば、光拡散板のバックライト側への変形が大きくなって、光拡散板の背部が支柱の先端部材に当たった場合において、基部材よりも軟質の材料である先端部材の当接部分が変形して衝撃を吸収するので、光拡散板に傷が付き難く、支柱の損傷も避けることができる。
【００１１】
本発明に係る支柱は、板部と、該板部の一面に立設された突起部と、前記一面に設けられ、保持対象物を保持する保持部と、前記板部の他面に設けられ、支持物に取り付けられる取付部とを備えた基部材、及び、前記突起部に取り付けられる先端部材を有することを特徴とする。
本発明によれば、基部材の板部の一面に立設された突起部に先端部材を取り付けてなる支柱を、基部材の板部の他面に設けた取付部にて支持物に取り付け、基部材の板部の一面に設けた保持部に保持対象物を保持させる。
【発明の効果】
【００１２】
本発明に係る液晶表示装置によれば、光拡散板のバックライト側への変形を規制するための高さの異なる支柱を成形にて作製する金型としては、バックライトシャーシへの取付部を含み、比較的複雑な形状の基部材用の１つの金型と、基部材に比較して簡易な形状で小型の先端部材用の複数の金型が必要となる。その結果、構造が複雑で高価となる基部材用の金型が１つで済み、複数必要となる先端部材用の金型は簡易な構造で小型、安価となるので、全体として金型費用が低減される。また、部品としては、バックライトシャーシへの取付部も備えて比較的複雑な構造の基部材を１種類保管し、複数種類保管するのは小型の先端部材であるので、部品の在庫管理も容易となる。従って、光拡散板のバックライト側への変形を規制する支柱を作製するための成形金型の費用が低減でき、該支柱部品の在庫管理が容易となる液晶表示装置が提供される。
【００１３】
本発明に係る液晶表示装置によれば、前述の発明において、光拡散板の変形を規制するための支柱を構成する基部材にバックライトを保持する保持部を備え、バックライトの保持機能も持たせたので、部品点数の増加が避けられる。またバックライトを保持する保持部の追加により基部材用の金型はさらに複雑な構造で高価になるが、この金型費用の増加は基部材用の１つの金型にとどまるので、金型費用の増加を抑制できる。
【００１４】
本発明に係る液晶表示装置によれば、前述の発明において、板部の一面に支柱を構成する突起部とバックライトを保持するクリップとを設け、板部の他面にバックライトシャーシへの取付部を設けた従来型のランプ保持具の構造を採用し、突起部の先端部に高さの異なる複数種類のキャップ体を装着して高さの異なる複数の支柱を構成するようにしたので、バックライトの保持部付きの光拡散板規制用支柱を設計する手間、コストを抑制することが可能となる液晶表示装置が提供される。
【００１５】
本発明に係る液晶表示装置によれば、前述の発明において、光拡散板をバックライト側へ凸状に湾曲させて、光拡散板が液晶パネルに接近することによる表示画像の画質低下を回避しつつ、バックライト側へ凸状に湾曲させた光拡散板のバックライト側への変形を適正に規制することができる液晶表示装置が提供される。
【００１６】
本発明に係る液晶表示装置によれば、前述の発明において、先端部材を基部材よりも軟質の材料にて構成することにより、光拡散板のバックライト側への変形が大きい場合においても、光拡散板及び支柱の損傷を避けることができる液晶表示装置が提供される。
【００１７】
本発明に係る支柱によれば、支持物への取付部及び保持対象物の保持部を備えた基部材に設けた突起部に先端部材を取り付けて支柱を構成するので、支柱の高さ変更、先端部材の材料変更等を行う場合に基部材はそのまま使用して先端部材だけを変更し、また支持物又は保持対象物の形状等に適合させて取付部又は保持部を形成することで、他物の保持機能と他物への取付け機能とを有し、種々の用途に好適に使用できる支柱が提供される。
【発明を実施するための最良の形態】
【００１８】
以下、本発明に係る液晶表示装置の実施の形態を図面に基づいて説明する。
図１は、本発明に係る液晶表示装置の構造を示す側面断面図である。該液晶表示装置は、液晶パネル１と、液晶パネル１の背面側に位置する光拡散板３と、光拡散板３の背面側に位置して光拡散板３を照射するバックライト８とを備えている。
【００１９】
バックライト８は複数の直線状の冷陰極蛍光管にて構成され、該複数の蛍光管を前面が開口された直方体状の箱体からなるバックライトシャーシ６の内部に横置き状態で縦方向に並置させている。バックライト８はランプ保持具２に保持され、該ランプ保持具２はバックライトシャーシ６の底壁６ａに設けた取付孔１５に取り付けてある。バックライトシャーシ６の内部の壁面には反射膜１２が形成してある。
【００２０】
液晶パネル１は、前面及び後面の周縁部を２つの枠状の挟持部材１３，１４にて挟持し、一方の挟持部材１４をバックライトシャーシ６の周縁部６ｂの外周面にビス止めして固定している。
【００２１】
光拡散板３は、バックライト８からの光を拡散させて、液晶パネル１の背面を均一に照射するための拡散シート、Ｒ−ＢＥＦ及びＤ−ＢＥＦ等の光学シートが積層された積層体である。光拡散板３はバックライト８側へ凸となる曲面状に湾曲させてある。光拡散板３の後面の周縁部をバックライトシャーシ６の周縁部６ｂの前面にて保持し、光拡散板３の前面の周縁部を枠体１１にて保持した状態で、該枠体１１をバックライトシャーシ６の周縁部６ｂの外周面にビス止めして固定している。
【００２２】
液晶パネル１、光拡散板３、バックライト８及びバックライトシャーシ６は、前面キャビネット４及び背面キャビネット５により形成された空間内に配置されている。背面キャビネット５の周縁部には上下方向に沿う内壁面からなる受け部５ａが形成され、該受け部５ａに固定された支持枠１０にバックライトシャーシ６の周縁部６ｂの後面をビス止めして固定している。
【００２３】
次に光拡散板規制用支柱の基部材を構成するランプ保持具２の構造について説明する。図２はランプ保持具２の側面図、図３は正面図、図４は背面図である。
ランプ保持具２は、縦長の扁平な板部２ａと、板部２ａの一面の中央に板面に垂直な方向に向けて立設した略円錐状の突起部２ｂと、該突起部２ｂから板部２ａの縦長方向の互いに逆側へ等距離離れて位置するように板部２ａの一面に設けた２個のクリップ２ｃとを備えている。各クリップ２ｃは側面から見て円を形成するように突出し先端が開いた形状の２つの円弧状アームを備え、該２つのアームの円弧状部分の内径はバックライト８の蛍光管の管径と同程度であり、２つのアームの先端側の間隔はバックライト８の蛍光管の管径よりも狭い。従って、クリップ２ｃの２つのアームの間にバックライト８の蛍光管を押し込むことで、バックライト８の蛍光管を２つの円弧状アームの内側に両側から挟んで保持することができる。
【００２４】
板部２ａの他面には、板部２ａの一面側の各クリップ２ｃの位置と一致させて、ランプ保持具２をバックライトシャーシ６の取付孔１５に取り付けるための取付部２ｄを備えている。バックライトシャーシ６の底壁６ａに設けた取付孔１５は貫通孔であり、取付部２ｄは取付孔１５に挿入したときに抜け止め機能を果たすように、板面に垂直な方向に向けて立設した柱部分と、該柱部分の先端に連なり板面側に向けて板面に対して斜めに屈曲した２つの引っ掛け部分とを備えたフック形状を有する。
【００２５】
ランプ保持具２は、硬質の合成樹脂材料を同一形状且つ同一寸法に成形して作製している。ランプ保持具２用の合成樹脂材料として耐熱性、光反射性に優れたポリカーボネート樹脂を使用しているが、これに限るものではない。
【００２６】
ランプ保持具２の突起部２ｂの先端には、高さの異なる先端部材７が取り付けられる。先端部材７は、具体的には突起部２ｂの先端部に装着されるキャップ体７ａ，７ｂ，７ｃに形成してある。図５はキャップ体７ａ，７ｂ，７ｃの一例を示す側面断面図である。キャップ体７ａ，７ｂ，７ｃは先端を丸めた略円錐形の外形を有し、突起部２ｂの先端部に装着するための凹部を底部側に有する。本実施形態では、高さが一番高いキャップ体７ａ、次に高さが高いキャップ体７ｂ、高さが一番低いキャップ体７ｃの３種類を用いて、支柱の高さを３段階に設定している。キャップ体７ａ，７ｂ，７ｃは軟質の合成樹脂材料を成形して作製している。キャップ体７ａ，７ｂ，７ｃ用の合成樹脂材料として、耐熱性、透光性に優れ、ランプ保持具２の材料よりも軟質の材料であるシリコン樹脂を使用しているが、これに限るものではない。また、硬質の合成樹脂材料を使用してもよい。
【００２７】
図６は、キャップ体７ａ，７ｂ，７ｃを装着したランプ保持具２の配置を示すバックライトシャーシ６の正面図であり、図７は図６のＶＩＩ−ＶＩＩ線における断面模式図である。
バックライトシャーシ６は液晶パネル１の画面形状に合わせて横長の長方形に形成されている。光拡散板３のバックライト８側へ凸となる曲面は縦方向の曲率が横方向の曲率より大きい略楕円面に形成してある。バックライトシャーシ６の中央領域では光拡散板３がバックライト８側へ突出する突出量が最も大きいので、高さが一番低いキャップ体７ｃを装着したランプ保持具２を１個配置している。次にバックライトシャーシ６の中央領域から外周側に離れた領域では光拡散板３がバックライト８側へ突出する突出量が小さくなるので、キャップ体７ｃを装着したランプ保持具２を中心として横長の略楕円形をなすように中間の高さのキャップ体７ｂを装着したランプ保持具２を６個配置している。これら６個のランプ保持具２に装着したキャップ体７ｂの先端は破線で示すように等高線をなす。さらに該キャップ体７ｂを装着した６個のランプ保持具２を取り囲むように、高さが一番高いキャップ体７ａを装着したランプ保持具２を１８個配置している。これら１８個のランプ保持具２に装着したキャップ体７ａの先端は破線で示すように等高線をなす。上記各ランプ保持具２の配置箇所に対応するバックライトシャーシ６の底壁６ａに取付孔１５を設け、各取付孔１５に各ランプ保持具２を取り付けてある。
【００２８】
図６のように高さの異なるキャップ体７ａ，７ｂ，７ｃを装着したランプ保持具２を配置することにより、各ランプ保持具２のキャップ体７ａ，７ｂ，７ｃの先端がバックライト８側へ凸の曲面状に湾曲した光拡散板３の凸形状に沿うようにキャップ体７ａ，７ｂ，７ｃの高さを設定してある。具体的には、各ランプ保持具２のキャップ体７ａ，７ｂ，７ｃの先端がなす包絡面とバックライト８側へ凸の曲面状に湾曲した光拡散板３との間隔を一定になるように設定している。尚、図６中、１６はランプを両端で保持し給電するソケットであり、バックライト８の位置を仮想線にて一部示している。
【００２９】
なお、前述の実施の形態では、光拡散板３をバックライト８側へ凸の略楕円面状となるように湾曲させたが、液晶パネル１の画面により略楕円面以外の球面等の曲面にてバックライト８側へ凸に湾曲させてもよい。また、光拡散板３を湾曲させずに、平面状に形成してもよい。この平面状の光拡散板の場合にも、光拡散板が膨張してバックライト８側へ変形するのを規制するため、バックライトシャーシ６の中央領域に高さの低い先端部材７を装着したランプ保持具２を配置し、バックライトシャーシ６の周縁領域に高さの高い先端部材７を装着したランプ保持具２を配置することが好ましい。
【００３０】
また、前述の実施の形態では、先端部材７を高さが３段階に異なるキャップ体７ａ，７ｂ，７ｃにて構成したが、先端部材７の高さの段階は２段階あるいは４段階以上に構成してもよい。また先端部材７の形状はキャップ体の形状に限らない。
【００３１】
また、前述の実施の形態では、１つのランプ保持具２に２個のバックライト８を保持する構成としたが、１つのランプ保持具２に、１個又は３個以上のバックライト８を保持するようにしてもよい。
【００３２】
また、前述の実施の形態では、本発明に係る支柱を液晶表示装置における光拡散板の変形規制用支柱として用いたが、その他、種々の用途の支柱に用いることができる。
【図面の簡単な説明】
【００３３】
【図１】本発明に係る液晶表示装置の構造を示す側面断面図である。
【図２】ランプ保持具の側面図である。
【図３】図２に示すランプ保持具の正面図である。
【図４】図２に示すランプ保持具の背面図である。
【図５】キャップ体の側面断面図である。
【図６】キャップ体を装着したランプ保持具の配置を示すバックライトシャーシの正面図である。
【図７】図６のＶＩＩ−ＶＩＩ線における断面模式図である。
【符号の説明】
【００３４】
１      液晶パネル
２      ランプ保持具（基部材、支柱）
２ａ    板部
２ｂ    突起部
２ｃ    クリップ（保持部）
２ｄ    取付部
３      光拡散板
６      バックライトシャーシ
７      先端部材（支柱）
７ａ    キャップ体
７ｂ    キャップ体
７ｃ    キャップ体
８      バックライト
【図１】
2009122368.tif 000003
【図２】
2009122368.tif 000004
【図３】
2009122368.tif 000005
【図４】
2009122368.tif 000006
【図５】
2009122368.tif 000007
【図６】
2009122368.tif 000008
【図７】
2009122368.tif 000009